(57)【要約】【課題】電線の露出している導体に端子のワイヤバレル部が設置されている端子付き電線において、電線の導体と端子との間における電気抵抗の値が大きくなることを防止する。【解決手段】複数本の素線７で構成された導体９と被覆１１とを備えている電線３と、底板部１５と一対の側板部１７、１９とを具備したワイヤバレル部１３を備えた端子５とを有し、ワイヤバレル部１３が、露出している導体９に接して導体９を所定に長さにわたって保持しており、ワイヤバレル部１３に直接接触する素線７の本数を増やすために、電線３の長手方向で、一対の側板部１７、１９の形状が変化している。【選択図】図６
2019125517.tif 000002
【特許請求の範囲】
【請求項１】
複数本の素線で構成された導体と、この導体が所定の長さにわたって露出するように前記導体を覆っている被覆とを備えている電線と、
底板部とこの底板部の一端から延出している第１の側板部と前記底板部の他端から延出している第２の側板部とを具備したワイヤバレル部を備えた端子と、
を有し、前記ワイヤバレル部が、前記電線の露出している導体に接し前記導体を所定の長さにわたって囲むように保持しており、
前記第１の側板部に直接接触している前記素線の本数が、前記導体の長手方向で次第に変化しており、前記第２の側板部に直接接触している前記素線の本数が、前記導体の長手方向で、前記第１の側板部におけるパターンとは逆のパターンで次第に変化していることを特徴とする端子付き電線。
【請求項２】
請求項１に記載の端子付き電線において、
前記導体の長手方向に対して直交しかつ前記各側板部の基端をお互いに結ぶ方向を幅方向とし、前記導体の長手方向に対して直交する平面による前記導体を保持しているワイヤバレル部の断面をとると、
前記各側板部のそれぞれは、円弧状になって前記導体を囲んでおり、
前記第１の側板部の幅方向における内壁面間の寸法の値が、前記長手方向の一方の側から前記長手方向の他方の側に向かうにしたがって次第に大きくなっており、
前記第２の側板部の幅方向における内壁面間の寸法の値が、前記長手方向の一方の側から前記長手方向の他方の側に向かうにしたがって次第に小さくなっていることを特徴とする端子付き電線。
【請求項３】
請求項１に記載の端子付き電線において、
前記導体の長手方向に対して直交しかつ前記各側板部の基端をお互いに結ぶ方向を幅方向とし、前記導体の長手方向に対して直交する平面による前記導体を保持しているワイヤバレル部の断面をとると、
前記各側板部のそれぞれは、円弧状になって前記導体を囲んでおり、
前記各側板部がこれらの延出方向の中間部でお互いが接していることで側板接触部が形成されており、
前記第１の側板部の、前記側板接触部からの延出長さが、前記電線の長手方向の一方の側から前記電線の長手方向の他方の側に向かうにしたがって、次第に長くなっており、
前記第２の側板部の、前記側板接触部からの延出長さが、前記電線の長手方向の一方の側から前記電線の長手方向の他方の側に向かうにしたがって、次第に短くなっていることを特徴とする端子付き電線。
【請求項４】
請求項３に記載の端子付き電線において、
前記ワイヤバレル部が展開された状態では、
前記第１の側板部の先端が、前記導体の長手方向に対して、斜め方向に延伸しており、
前記第２の側板部の先端が、前記導体の長手方向に対して、前記第１の側板部の先端と平行になって、斜め方向に延伸していることを特徴とする端子付き電線。
【請求項５】
底板部とこの底板部の一端から延出している第１の側板部と前記底板部の他端から延出している第２の側板部とを具備し、電線の導体を保持するように構成されているワイヤバレル部を備えた端子であって、
前記ワイヤバレル部が展開された状態では、
前記第１の側板部の先端が、前記導体の長手方向に対して、斜め方向に延伸しており、
前記第２の側板部の先端が、前記導体の長手方向に対して、前記第１の側板部の先端と平行になって、斜め方向に延伸していることを特徴とする端子。
【請求項６】
底板部とこの底板部の両端から延出している一対の側板部と具備したワイヤバレル部を備えた端子を、前記ワイヤバレル部をカシメることで、電線の導体に所定の長さにわたって係合させて設置するときに、アンビルともに使用されるクリンパにおいて、
クリンパ本体と、
前記クリンパ本体に設けられており、前記ワイヤバレル部をカシメるときに前記ワイヤバレル部と前記電線の導体と前記アンビルとが入り込む凹部と、
を有し、前記凹部の底部には、前記第１の側板部に当接して前記第１の側板部をカシメる第１の湾曲部と、前記第２の側板部に当接して前記第２の側板部をカシメる第２の湾曲部とが形成されており、
第１の湾曲部と第２の湾曲部とはお互いが隣接しており、第１の湾曲部と第２の湾曲部との境界が、前記ワイヤバレル部をカシメるときの前記導体の長手方向に対して斜めに延びていることを特徴とするクリンパ。
【発明の詳細な説明】
【技術分野】
【０００１】
本発明は、端子付き電線、端子およびクリンパに係り、特に、端子のワイヤバレル部がカシメられて電線の素線（導体）に接触して電線の素線を保持しているものやワイヤバレル部のカシメに使用されるものに関する。
【背景技術】
【０００２】
従来、図１４、図１５で示すような端子付き電線３０１が知られている。端子付き電線３０１は、次に示すようにして製造される。
【０００３】
まず、図１３（ａ）で示すような電線３０３を用意し、図１３（ｂ）で示すように、電線３０３の被覆３０５を電線３０３の長手方向の一端部で除去して、複数本の素線３０７で構成されている導体３０９を所定の長さにわたって露出させる。
【０００４】
続いて、図１４、図１５で示すように、端子３１１のワイヤバレル部３１３をカシメて、ワイヤバレル部３１３で露出している導体３０９を保持する。
【０００５】
ここで、従来の技術に関する文献としてたとえば特許文献１を掲げる。
【先行技術文献】
【特許文献】
【０００６】
【特許文献１】特開平６−１０４０２０号公報
【発明の概要】
【発明が解決しようとする課題】
【０００７】
ところで、端子付き電線３０１について導体３０９を保持しているワイヤバレル部３１３の断面をとると、図１６で示すように、各素線３０７のうちの一部の素線３０７Ａが、ワイヤバレル部３１３（端子３１１）に直接接触している。
【０００８】
また、端子付き電線３０１では、電線３０３（素線３０７；導体３０９）の長手方向のいずれの箇所の断面でも、ワイヤバレル部３１３に直接接触している素線３０７Ａはほとんど変化していない。
【０００９】
すなわち、図１６は導体３０９を保持しているワイヤバレル部３１３の中央（図１５の左右方向における中央）における断面を示しているが、図１５の左右方向におけるいずれの位置の断面も、図１６で示す態様とほぼ同じになっている。
【００１０】
ワイヤバレル部３１３に直接接触していない残りの素線３０７Ｂは、直接接触している素線３０７Ａを介してワイヤバレル部３１３に接触しているので、残りの素線３０７Ｂとワイヤバレル部３１３との間の電気抵抗の値は、直接接触している素線３０７Ａとワイヤバレル部３１３との間の電気抵抗の値よりも大きくなっている。
【００１１】
したがって、従来の端子付き電線３０１では、ワイヤバレル部３１３に直接接触している素線３０７Ａに変化が無いことにより、端子３１１と電線３０３の導体３０９との間における電気抵抗の値が大きくなってしまうという問題がある。この問題は、素線３０７の本数が増えるにしたがって顕著になる。
【００１２】
本発明は、上記問題点に鑑みてなされたものであり、電線の露出している導体に端子のワイヤバレル部が設置されている端子付き電線において、電線の導体と端子との間における電気抵抗の値が大きくなることを防止することができる端子付き電線、端子および端子のワイヤバレル部をカシメるときに使用されるクリンパを提供することを目的とする。
【課題を解決するための手段】
【００１３】
請求項１に記載の発明は、複数本の素線で構成された導体と、この導体が所定の長さにわたって露出するように前記導体を覆っている被覆とを備えている電線と、底板部とこの底板部の一端から延出している第１の側板部と前記底板部の他端から延出している第２の側板部とを具備したワイヤバレル部を備えた端子とを有し、前記ワイヤバレル部が、前記電線の露出している導体に接し前記導体を所定の長さにわたって囲むように保持しており、前記第１の側板部に直接接触している前記素線の本数が、前記導体の長手方向で次第に変化しており、前記第２の側板部に直接接触している前記素線の本数が、前記導体の長手方向で、前記第１の側板部におけるパターンとは逆のパターンで次第に変化している端子付き電線である。
【００１４】
請求項２に記載の発明は、請求項１に記載の端子付き電線において、前記導体の長手方向に対して直交しかつ前記各側板部の基端をお互いに結ぶ方向を幅方向とし、前記導体の長手方向に対して直交する平面による前記導体を保持しているワイヤバレル部の断面をとると、前記各側板部のそれぞれは、円弧状になって前記導体を囲んでおり、前記第１の側板部の幅方向における内壁面間の寸法の値が、前記長手方向の一方の側から前記長手方向の他方の側に向かうにしたがって次第に大きくなっており、前記第２の側板部の幅方向における内壁面間の寸法の値が、前記長手方向の一方の側から前記長手方向の他方の側に向かうにしたがって次第に小さくなっている端子付き電線である。
【００１５】
請求項３に記載の発明は、請求項１に記載の端子付き電線において、前記導体の長手方向に対して直交しかつ前記各側板部の基端をお互いに結ぶ方向を幅方向とし、前記導体の長手方向に対して直交する平面による前記導体を保持しているワイヤバレル部の断面をとると、前記各側板部のそれぞれは、円弧状になって前記導体を囲んでおり、前記各側板部がこれらの延出方向の中間部でお互いが接していることで側板接触部が形成されており、前記第１の側板部の、前記側板接触部からの延出長さが、前記電線の長手方向の一方の側から前記電線の長手方向の他方の側に向かうにしたがって、次第に長くなっており、前記第２の側板部の、前記側板接触部からの延出長さが、前記電線の長手方向の一方の側から前記電線の長手方向の他方の側に向かうにしたがって、次第に短くなっている端子付き電線である。
【００１６】
請求項４に記載の発明は、請求項３に記載の端子付き電線において、前記ワイヤバレル部が展開された状態では、前記第１の側板部の先端が、前記導体の長手方向に対して、斜め方向に延伸しており、前記第２の側板部の先端が、前記導体の長手方向に対して、前記第１の側板部の先端と平行になって、斜め方向に延伸している端子付き電線である。
【００１７】
請求項５に記載の発明は、底板部とこの底板部の一端から延出している第１の側板部と前記底板部の他端から延出している第２の側板部とを具備し、電線の導体を保持するように構成されているワイヤバレル部を備えた端子であって、前記ワイヤバレル部が展開された状態では、前記第１の側板部の先端が、前記導体の長手方向に対して、斜め方向に延伸しており、前記第２の側板部の先端が、前記導体の長手方向に対して、前記第１の側板部の先端と平行になって、斜め方向に延伸している端子である。
【００１８】
請求項６に記載の発明は、底板部とこの底板部の両端から延出している一対の側板部と具備したワイヤバレル部を備えた端子を、前記ワイヤバレル部をカシメることで、電線の導体に所定の長さにわたって係合させて設置するときに、アンビルともに使用されるクリンパにおいて、クリンパ本体と、前記クリンパ本体に設けられており、前記ワイヤバレル部をカシメるときに前記ワイヤバレル部と前記電線の導体と前記アンビルとが入り込む凹部とを有し、前記凹部の底部には、前記第１の側板部に当接して前記第１の側板部をカシメる第１の湾曲部と、前記第２の側板部に当接して前記第２の側板部をカシメる第２の湾曲部とが形成されており、第１の湾曲部と第２の湾曲部とはお互いが隣接しており、第１の湾曲部と第２の湾曲部との境界が、前記ワイヤバレル部をカシメるときの前記導体の長手方向に対して斜めに延びているクリンパである。
【発明の効果】
【００１９】
本発明によれば、電線の露出している導体に端子のワイヤバレル部が設置されている端子付き電線において、電線の導体と端子との間における電気抵抗の値が大きくなることを防止することができるという効果を奏する。
【図面の簡単な説明】
【００２０】
【図１】本発明の第１の実施形態に係る端子付き電線で使用される端子を展開した図である。
【図２】本発明の第１の実施形態に係る端子付き電線に使用される端子（電線に設置される直前の端子）の斜視図である。
【図３】本発明の第１の実施形態に係る端子付き電線で使用される端子のワイヤバレル部をカシメるときに使用されるクリンパの斜視図である。
【図４】図３で示すクリンパを示しており、（ａ）は正面図であり、（ｂ）は側面図であり、（ｃ）は下面図であり、（ｄ）は（ａ）におけるＩＶＤ部の拡大図である。
【図５】本発明の第１の実施形態に係る端子付き電線を示す図である。
【図６】（ａ）は図５におけるＶＩＡ−ＶＩＡ断面を示す図であり、（ｂ）は図５におけるＶＩＢ−ＶＩＢ断面を示す図であり、（ｃ）は図５におけるＶＩＣ−ＶＩＣ断面を示す図であり、（ｄ）は、（ａ）〜（ｂ）で端子のワイヤバレル部に直接接している素線をまとめて示した図である。
【図７】本発明の第２の実施形態に係る端子付き電線で使用される端子を展開した図である。
【図８】本発明の第２の実施形態に係る端子付き電線に使用される端子（電線に設置される直前の端子）の斜視図である。
【図９】本発明の第２の実施形態に係る端子付き電線で使用される端子のワイヤバレル部をカシメるときに使用されるクリンパの斜視図である。
【図１０】図９で示すクリンパを示しており、（ａ）は正面図であり、（ｂ）は下面図であり、（ｃ）は（ａ）におけるＸＣ部の拡大図である。
【図１１】本発明の第２の実施形態に係る端子付き電線を示す図である。
【図１２】（ａ）は図１１におけるＸＩＩＡ−ＸＩＩＡ断面を示す図であり、（ｂ）は図１５におけるＸＩＩＢ−ＸＩＩＢ断面を示す図であり、（ｃ）は図１５におけるＸＩＩＣ−ＸＩＩＣ断面を示す図であり、（ｄ）は、（ａ）〜（ｂ）で端子のワイヤバレル部に直接接している素線をまとめて示した図である。
【図１３】電線を示す斜視図である。
【図１４】従来の端子付き電線を示す斜視図である。
【図１５】従来の端子付き電線を示す図である。
【図１６】図１５におけるＸＶＩ−ＸＶＩ断面を示す図である。
【発明を実施するための形態】
【００２１】
［第１の実施形態］
本発明の第１の実施形態に係る端子付き電線１は、図１〜図６で示すように、電線３と端子５とを備えて構成されている。
【００２２】
ここで、説明の便宜のために、電線３（端子付き電線１）の長手方向を前後方向として、前後方向に対して直交する所定の一方向を高さ方向とし、長手方向と高さ方向とに対して直交する方向を幅方向とする。
【００２３】
なお、端子付き電線１では、一対の側板部（第１の側板部１７および第２の側板部１９）の基端（底板部１５と側板部１７、１９との２つの境界）をお互いに結ぶ方向が幅方向となっている。
【００２４】
電線３は、複数本の素線７で構成された導体９と、この導体が所定の長さにわたって露出するように導体９を覆っている被覆１１とを備えて構成されている。端子５は、金属等の導電性の材料で構成されており、ワイヤバレル部１３を備えて構成されている。
【００２５】
ワイヤバレル部１３は、底板部１５と、底板部１５の一端から延出（突出）している第１の側板部１７と、底板部１５の他端から延出（突出）している第２の側板部１９とを具備している。
【００２６】
そして、ワイヤバレル部１３が、カシメられたことで（カシメられた状態になっていることで）、ワイヤバレル部１３が、電線３の露出している導体（露出導体）９Ａに接（接触）し、導体９を所定の長さにわたって囲む（包む）ように保持している。
【００２７】
また、端子付き電線１では、第１の側板部１７に直接接触している素線７の本数が、導体９の長手方向（電線３の長手方向；前後方向）で次第に変化している。
【００２８】
さらに、端子付き電線１では、第２の側板部１９に直接接触している素線７の本数が、導体９の長手方向（電線３の長手方向；前後方向）で、第１の側板部１７におけるパターンとは逆のパターンで次第に変化している。
【００２９】
たとえば、図５、図６で示すように、一対の側板部１７、１９うちの一方の側板部１７では、後側から前側に向かうにしたがって、一方の側板部１７に直接接触する素線７の本数が次第に増えている。一方、一対の側板部１７、１９うちの他方の側板部１９では、後側から前側に向かうにしたがって、他方の側板部１９に直接接触する素線７の本数が次第に減っている。図６で斜線を付している素線７が、ワイヤバレル部に直接接している素線７である。
【００３０】
また、前後方向におけるいずれの位置でも、一方の側板部１７に直接接触している素線７の本数と他方の側板部１９に直接接触している素線７の本数との和が、たとえば、ほぼ一定になっている。
【００３１】
すなわち、ワイヤバレル部１３の後端（図６（ｃ）参照）で、一方の側板部１７に直接接触している素線７の本数と他方の側板部１９に直接接触している素線７の本数との和と、ワイヤバレル部１３の前後方向の中央（図６（ｂ）参照）で、一方の側板部１７に直接接触している素線７の本数と他方の側板部１９に直接接触している素線７の本数との和と、ワイヤバレル部１３の前端（図６（ａ）参照）で、一方の側板部１７に直接接触している素線７の本数と他方の側板部１９に直接接触している素線７の本数との和とは、お互いがほぼ同じ値になっている。
【００３２】
なお、前後方向におけるいずれの位置でも、底板部１５に直接接している素線７の本数は、お互いがほぼ等しくなっている。
【００３３】
端子付き電線１のワイヤバレル部１３の断面（前後方向直交する平面による断面）をとると、図６で示すように、各側板部１７、１９のそれぞれは、半円弧よりも円弧が長い円弧状になって、底板部１５とともに導体９を囲んでいる。
【００３４】
また、第１の側板部１７の幅方向における内壁面間の寸法の値は、後側から前側に向かうにしたがって次第に大きくなっている。一方、第２の側板部１９の幅方向における内壁面間の寸法の値は、後側から前側に向かうにしたがって次第に小さくなっている。
【００３５】
第１の側板部１７の幅方向における内壁面間の寸法の値と第２の側板部１９の幅方向における内壁面間の寸法の値との和は、ほとんど変化せず、長手方向の任意の位置でほぼ一定になっている。
【００３６】
また、第１の側板部１７の基端（底板部１５との境界）と第１の側板部１７の内壁面上端との間の、高さ方向の寸法の値は、ほとんど変化せず、前後方向の任意の位置でほぼ一定になっている。第２の側板部１９の基端（底板部１５との境界）と第２の側板部１９の内壁面上端との間の、高さ方向の寸法の値も、ほとんど変化せず、前後方向の任意の位置でほぼ一定になっている。
【００３７】
なお、第１の側板部１７の基端と第２の側板部１９の基端とは高さ方向ではお互いの位置がほぼ一致している。
【００３８】
さらに説明すると、一対の側板部１７、１９がこれらの延出方向（底板部１５からの突出方向）の中間部でお互いが接していることで側板接触部２１が形成されている。
【００３９】
第１の側板部１７の基端と側板接触部２１との間では、第１の側板部１７の円弧の曲率半径が、後側から前側に向かうにしたがって次第に大きくなっている。第２の側板部１９の基端と側板接触部２１との間では、第２の側板部１９の円弧の曲率半径が、後側から前側に向かうにしたがって次第に小さくなっている。
【００４０】
ここで、電線３についてさらに詳しく説明する。
【００４１】
電線３は、上述したように、複数本の素線７が集まって形成されている導体（芯線）９と、この導体９を覆っている（被覆している）被覆（絶縁体）１１とを備えて構成されている。
【００４２】
また、電線３では、この長手方向の一部（たとえば、前端部）で被覆１１が非存在であることで（被覆１１が除去されていることで）導体９が所定の長さにわたって露出している（露出導体９Ａが形成されている）。
【００４３】
導体９の素線７は、銅、アルミニウム、もしくは、アルミニウム合金等の金属で細長い円柱状に形成されている。導体９は、複数本の素線７を撚った形態、もしくは、複数本の素線７がまとまって直線状に延びている形態で構成されている。
【００４４】
また、電線３の被覆１１が存在している部位の断面（長手方向に対して直交する平面による断面）は、円形状等の所定形状に形成されている。電線３は可撓性を備えている。
【００４５】
被覆１１が存在している電線３の部位における導体９の断面（前後方向に対して直交する平面による断面）は、複数本の素線７がほとんど隙間の無い状態で束ねられていることで概ね円形状に形成されている。被覆１１が存在している電線３の部位における被覆１１の断面は、所定の幅（厚さ）を備えた円環状に形成されている。導体９の外周の全周に被覆１１の内周の全周が接触している。
【００４６】
次に、端子５について詳しく説明する。
【００４７】
端子５（ワイヤバレル部１３）が平板状に展開された状態（仮に、導体９を保持している状態を解除して、ワイヤバレル部１３を平板状にした状態、もしくは、仮に、導体９を保持している状態を解除して、ワイヤバレル部１３を、導体９を保持する直前の状態にした状態）では、各側板部（一対の側板部）１７、１９の先端（底板部１５とは反対側の端）１７Ａ、１９Ａのそれぞれが、図１、図２で示すように、お互いが平行になって前後方向に延伸している。
【００４８】
また、端子付き電線１では、図５、図６で示すように、側板接触部２１が、高さ方向で見て、後側から前側に向かうにしたがって、幅方向の一方の側から他方の側に移っている。
【００４９】
すなわち、側板接触部２１を高さ方向で見ると、長手方向に対して斜めに延伸している。また、前後方向における中央では、ワイヤバレル部１３の断面（前後方向に対して直交する平面による断面）が左右対称になっている（図６（ｂ）参照）。
【００５０】
また、前後方向に対して直交する平面による断面をとると、各側板部１７、１９のそれぞれは、上述したように円弧状（「Ｃ」字状と解釈してもよい）に形成されており、各側板部１７、１９のそれぞれは、これらに延出方向（底板部１５からの延出方向）で側板接触部２１よりも先端側の部位２３が、複数本の素線７をかき分けて導体９内（複数本の素線７の間）に入り込んでいる。
【００５１】
高さ方向で見ると、ワイヤバレル部１３の中心を通り高さ方向に延伸している中心軸Ｃ１（図５参照）に対して、第１の側板部１７と第２の側板部１９とは、点対称に形成されている。
【００５２】
また、端子５には、図２、図５等で示すように、インシュレーションバレル部２５が設けられており、インシュレーションバレル部２５をカシメたことで、電線３の被覆１１（露出導体９Ａ近傍の部位）が端子５によって保持されている。
【００５３】
次に、端子５のワイヤバレル部１３のカシメに使用されるクリンパ２７について、図３、図４を参照しつつ説明する。
【００５４】
図２で示すように、カシメがされる直前のワイヤバレル部１３は「Ｕ」字状に形成されている。ワイヤバレル部１３のカシメは、クリンパ２７と図示しないアンビルとで、ワイヤバレル部１３とワイヤバレル部１３の内側に設置されている導体９（素線７）とを押圧することでなされる。
【００５５】
クリンパ２７は、たとえば、矩形な平板状に形成されたクリンパ本体２９を備えて構成されている。クリンパ本体２９には、凹部３１が設けられている。凹部３１には、ワイヤバレル部１３をカシメるときに、電線３の導体９が内側に設置されているとワイヤバレル部１３とアンビル（図示せず）とがこの順に入り込むようになっている。
【００５６】
凹部３１の底部には、第１の湾曲面（第１の湾曲部）３３と第２の湾曲面（第２の湾曲部）３５とが形成されている。
【００５７】
第１の湾曲面３３は、ワイヤバレル部１３の第１の側板部１７に当接し、アンビルと協働し第１の側板部１７と電線３の導体９と底板部１５の一部とを挟み込み、第１の側板部１７等をカシメるようになっている。
【００５８】
第２の湾曲面３５は、ワイヤバレル部１３の第２の側板部１９に当接し、アンビルと協働し第２の側板部１９と電線３の導体９と底板部１５の残りの部位とを挟み込み、第２の側板部１９等をカシメるようになっている。
【００５９】
第１の湾曲面３３と第２の湾曲面３５とはお互いが隣接しており、第１の湾曲面３３と第２の湾曲面３５との境界３７がワイヤバレル部１３をカシメるときの電線３の長手方向（前後方向）に対して斜めに延びている。
【００６０】
さらに説明すると、クリンパ本体２９は、上述したように、前後方向で所定の厚さを備え、幅方向で所定の幅を備え、高さ方向で所定の高さを備えた矩形な平板状に形成されている。
【００６１】
凹部３１は、幅方向では、クリンパ本体２９の中央部に設けられており、高さ方向では、クリンパ本体２９の下端から上側に向かって凹んでおり、前後方向では、クリンパ本体２９を貫通している。
【００６２】
凹部３１は、高さ方向の寸法の値が幅方向の寸法の値よりも大きい細長い形成に形成されている。第１の湾曲部３３は、凹部３１の底部（上端部）で幅方向の一方の側に設けられており、第２の湾曲部３５は、凹部３１の底部（上端部）で幅方向の他方の側に設けられている。
【００６３】
第１の湾曲部３３は、前後方向で見て上側に凸な円弧状になっており、第２の湾曲部３５も、前後方向で見て上側に凸な円弧状になっている。第１の湾曲部３３は、この幅方向の中央部が最も上側に位置しており、第２の湾曲部３５も、この幅方向の中央部が最も上側に位置している。
【００６４】
第１の湾曲部３３と第２の湾曲部３５との境界３７は、直線状になっており、第１の湾曲部３３の幅方向の中央部や第２の湾曲部３５の幅方向の中央部よりも下側に位置している。
【００６５】
第１の湾曲部３３の曲率半径は、前側から後側に向かうにしたがって、次第に小さくなっており、第２の湾曲部３５の曲率半径は、前側から後側に向かうにしたがって、次第に大きくなっている。
【００６６】
さらに、凹部３１の中心（クリンパ本体２９の中心）を通って高さ方向に延びている軸（中心軸）に対して、凹部３１（第１の湾曲部３３、第２の湾曲部３５、境界３７）は、点対称に形成されている。直線状の境界３７の高さ方向の位置は一定になっており、直線状の境界３７と上記中心軸とは交差している。
【００６７】
次に、端子付き電線１の製造方法について説明する。
【００６８】
まず、図２で示すような、電線３に設置される直前の端子５と、図１３（ｂ）で示すように、前端部で導体９が露出している電線３を用意する。
【００６９】
続いて、露出導体９Ａを端子５の「Ｕ」字状のワイヤバレル部１３の内側に入れる。
【００７０】
続いて、クリンパ２７と図示しないアンビルとを用いて、ワイヤバレル部１３をカシメる。このときに、端子５のインシュレーションバレル部２５も図示しない別のクリンパとアンビルとを用いてカシメる。
【００７１】
これにより、ワイヤバレル部１３の形状が左右方向（幅方向）で異なっている端子付き電線１が得られる。
【００７２】
端子付き電線１によれば、ワイヤバレル部１３の各側板部１７、１９に直接接触している素線７の本数が、前後方向で次第に変化しているので、ワイヤバレル部１３に直接接触している素線７の本数が、図６（ｄ）で示すように従来のものよりも多くなっており、電線３の導体９と端子５との間における電気抵抗の値が大きくなることが防止される。
【００７３】
また、端子付き電線１によれば、第１の側板部１７に直接接触している素線７の本数が次第に変化しており、第２の側板部１９に直接接触している素線７の本数が第１の側板部１７におけるパターンとは逆のパターンで次第に変化しているので、各側板部１７、１９でバランス良く素線７（導体９）を保持することができる。
【００７４】
また、端子付き電線１によれば、第１の側板部１７の幅方向における内壁面間の寸法の値が後側から前側に向かうにしたがって次第に大きくなっており、第２の側板部１９の幅方向における内壁面間の寸法の値が、後側から前側に向かうにしたがって次第に小さくなっているので、たとえば、電線３の導体９を保持しているワイヤバレル部１３の幅方向の寸法や高さ寸法を前後方向で変化させることなく、各側板部１７、１９でバランス良く素線７（導体９）を保持することができる。
【００７５】
また、端子付き電線１によれば、各側板部１７、１９の先端のそれぞれ１７Ａ、１９Ａが長手方向に延伸しているので、従来から存在している汎用性の高い端子を用いても、端子５と電線３の導体９との間における電気抵抗の値の上昇を抑えることができる。
【００７６】
［第２の実施形態］
本発明の第２の実施形態に係る端子付き電線１ａ（図７〜図１２参照）は、端子５のワイヤバレル部１３の形状と、ワイヤバレル部１３のカシメに使用されるクリンパ２７ａ形状とが、本発明の第１の実施形態に係る端子付き電線１とは異なっており、その他の点は、ほぼ同様に構成されている。
【００７７】
すなわち、図１１、図１２で示すように、前後方向に対して直交する平面による導体９を保持しているワイヤバレル部１３の断面をとると、各側板部１７、１９のそれぞれは、半円弧よりも長い円弧状になって底板部１５とともに導体９を囲んでおり、各側板部１７、１９がこれらの延出方向の中間部でお互いが接していることで側板接触部２１が形成されている。
【００７８】
また、前後方向に対して直交する平面による導体９を保持しているワイヤバレル部１３の断面をとると、第１の側板部１７の側板接触部２１からの延出長さが、電線３の後側から前側に向かうにしたがって、次第に長くなっており、第２の側板部１９の側板接触部２１からの延出長さが、後側から前側に向かうにしたがって、次第に短くなっている。
【００７９】
さらに説明すると、第１の側板部１７の側板接触部２１からの延出長さの値と第２の側板部１９の側板接触部２１からの延出長さの値との和は、ほとんど変化せず、長手方向の任意の位置でほぼ一定になっている。
【００８０】
第１の側板部１７の基端と側板接触部２１との間おける円弧の曲率半径（第１の側板部１７の円弧の曲率半径）と、第２の側板部１９の基端と側板接触部２１との間おける円弧の曲率半径（第２の側板部１９の円弧の曲率半径）とは、お互いが等しく、前後方向のいずれの位置でもほぼ一定になっている。
【００８１】
また、端子５（ワイヤバレル部１３）が展開された状態では（仮に、導体９を保持している状態を解除して、ワイヤバレル部１３を平板状にした状態では）、図７、図８で示すように、第１の側板部１７の先端１７Ａが、電線３の長手方向（前後方向）に対して、斜め方向に延伸しており、第２の側板部１９の先端１９Ａも、電線３の長手方向に対して、第１の側板部１７の先端１７Ａと平行になって、電線３の長手方向（前後方向）に対して、斜め方向に延伸している。
【００８２】
これにより、導体９を保持する直前の状態の端子（ワイヤバレル部が平板状ではなく「Ｕ」字状になっている端子）５は、図８で示すように、第１の側板部１７の先端１７Ａと第２の側板部１９の先端１９Ａとが、捻じれの位置関係になって延伸している。
【００８３】
すなわち、導体９を保持する直前の状態の端子（ワイヤバレル部が平板状ではなく「Ｕ」字状になっている端子）５を幅方向の一方に側から見ると、第１の側板部１７の先端１７Ａが、電線３の長手方向に対して斜めになって延伸しており、第２の側板部１９の先端１９Ａが、第１の側板部１７の先端１７Ａとは、第１の側板部１７の先端１７Ａとは逆勾配で電線３の長手方向に対して斜めになって延伸している。
【００８４】
つまり、電線３の長手方向が時計の３時と９時とを通る方向とすると、第１の側板部１７の先端１７Ａは、たとえば、４時と１０時を通る方向に延びており、第２の側板部１９の先端１９Ａは、たとえば、２時と８時を通る方向に延びている。
【００８５】
平板状に展開されたワイヤバレル部１３をこの厚さ方向で見ると、ワイヤバレル部１３は平行四辺形状に形成されている。この平行四辺形の４辺のうちのお互いが対向している一方の一対の辺のそれぞれが、各側板部１７、１９の先端１７Ａ、１９Ａを形成している。
【００８６】
端子付き電線１ａの側板接触部２１を高さ方向で見ると、図１１で示すように、ワイヤバレル部１３の中心を通って前後方向に延びている。
【００８７】
また、長手方向に対して直交する平面による断面をとると、各側板部１７、１９のそれぞれは、上述したように円弧状（「Ｃ」字状と解釈してもよい）に形成されており、各側板部１７、１９のそれぞれは、これらに延出方向で側板接触部２１よりも先端側の部位２３が、複数本の素線７をかき分けて導体９内に入り込んでいる。
【００８８】
次に、端子５のワイヤバレル部１３のカシメに使用されるクリンパ２７ａについて、図９、図１０を参照しつつ説明する。クリンパ２７ａは、境界３７が前後方向に延伸している点が図３、図４で示すクリンパ２７と異なっている。
【００８９】
図８で示すように、カシメがされる直前のワイヤバレル部１３は「Ｕ」字状に形成されている。ワイヤバレル部１３のカシメは、クリンパ２７ａと図示しないアンビルとで、ワイヤバレル部１３とワイヤバレル部１３の内側に設置されている導体９（素線７）とを押圧することでなされる。
【００９０】
クリンパ２７ａは、たとえば、矩形な平板状に形成されたクリンパ本体２９を備えて構成されている。クリンパ本体２９には、凹部３１が設けられている。凹部３１には、ワイヤバレル部１３をカシメるときに、電線３の導体９が内側に設置されているとワイヤバレル部１３とアンビル（図示せず）とがこの順に入り込むようになっている。
【００９１】
凹部３１の底部には、第１の湾曲面（第１の湾曲部）３３と第２の湾曲面（第２の湾曲部）３５とが形成されている。
【００９２】
第１の湾曲面３３は、図３等で示すクリンパ２７と同様にして、ワイヤバレル部１３の第１の側板部１７に当接し、アンビルと協働し第１の側板部１７と電線３の導体９と底板部１５の一部とを挟み込み、第１の側板部１７等をカシメるようになっている。第２の湾曲面３５は、ワイヤバレル部１３の第２の側板部１９に当接し、アンビルと協働し第２の側板部１９と電線３の導体９と底板部１５の残りの部位とを挟み込み、第２の側板部１９等をカシメるようになっている。
【００９３】
第１の湾曲面３３と第２の湾曲面３５とはお互いが隣接しており、第１の湾曲面３３と第２の湾曲面３５との境界３７がワイヤバレル部１３をカシメるときの電線３の長手方向（前後方向）に延びている。
【００９４】
端子付き電線１ａによれば、第１の側板部１７の側板接触部２１からの延出長さ（部位２３の延出長さ）が後側から前側に向かうにしたがって次第に長くなっており、第２の側板部１９の側板接触部２１からの延出長さ（部位２３の延出長さ）が後側から前側に向かうにしたがって、次第に短くなっているので、電線３の導体９を保持しているワイヤバレル部１３の第１の側板部１７の幅方向の寸法や高さ寸法が前後方向で変化することなく、また、第２の側板部１９の幅方向の寸法や高さ寸法が前後方向で変化することなく、各側板部１７、１９でバランス良く素線７（導体９）を保持することができる。
【００９５】
また、端子付き電線１ａによれば、ワイヤバレル部１３が展開された状態で、第１の側板部１７の先端１７Ａが電線３の長手方向に対して斜め方向に延伸しており、第２の側板部１９の先端１９Ａが電線３の長手方向に対して第１の側板部１７の先端１７Ａと平行になって斜め方向に延伸しているので、各側板部１７、１９でバランス良く素線７（導体９）を保持することができるとともに、ワイヤバレル部１３をカシメるときに、導体９から受ける反力を小さくして、各側板部１７、１９の先端１７Ａ、１９Ａが導体９内に入りやすくなる。
【００９６】
ところで、第１の実施形態では、各側板部１７、１９の先端１７Ａ、１９Ａが前後方向に延伸している端子５を、境界３７が斜めに延伸しているクリンパ２７を用いて、端子付き電線１を得ており、第２の実施形態では、各側板部１７、１９の先端１７Ａ、１９Ａが前後方向に対して斜めに延伸している端子５を、境界３７が前後方向に延伸している汎用のクリンパ２７ａを用いて、端子付き電線１ａを得ている。
【００９７】
これに対して、各側板部１７、１９の先端１７Ａ、１９Ａが前後方向に対して斜めに延伸している端子５を、境界３７が前後方向に対して斜めに延伸しているクリンパ２７を用いて、端子付き電線を得てもよい。
【００９８】
また、一方の側板部１７の先端１７Ａが前後方向に対して斜めに延伸しており、他方の側板部１９の先端１９Ａが前後方向に延伸している端子５を、境界３７が前後方向もしくは前後方向に対して斜めに延伸しているクリンパを用いて、端子付き電線を得てもよい。
【００９９】
なお、上述した端子付き電線１、１ａは、複数本の素線で構成された導体と、この導体が所定の長さにわたって露出するように前記導体を覆っている被覆とを備えている電線と、底板部とこの底板部の両端から延出している一対の側板部とを具備したワイヤバレル部を備えた端子とを有し、前記ワイヤバレル部が、前記電線の露出している導体に接して前記導体を所定に長さにわたって保持しており、前記ワイヤバレル部に直接接触する前記導体の素線の本数を増やすために、前記電線の長手方向に延伸している前記電線の中心軸と前記底板部の中心とを含む平面に対して非対称になっている端子付き電線の例である。
【０１００】
また、上述した端子付き電線１、１ａは、複数本の素線で構成された導体と、この導体が所定の長さにわたって露出するように前記導体を覆っている被覆とを備えている電線と、底板部とこの底板部の両端から延出している一対の側板部とを具備したワイヤバレル部を備えた端子とを有し、前記ワイヤバレル部が、前記電線の露出している導体に接して前記導体を所定に長さにわたって保持しており、前記ワイヤバレル部に直接接触する前記導体の素線の本数を増やすために、前記電線の長手方向で、前記ワイヤバレル部の一対の側板部の形状が変化している端子付き電線の例である。
【符号の説明】
【０１０１】
１、１ａ  端子付き電線
３  電線
５  端子
７  素線
９  導体
１１  被覆
１３  ワイヤバレル部
１５  底板部
１７  第１の側板部
１７Ａ  第１の側板部の先端
１９  第２の側板部
１９Ａ  第２の側板部の先端
２７  クリンパ
２９  クリンパ本体
３１  凹部
３３  第１の湾曲部（第１の湾曲面）
３５  第２の湾曲部（第２の湾曲面）
３７  境界
【図１】
2019125517.tif 000003
【図２】
2019125517.tif 000004
【図３】
2019125517.tif 000005
【図４】
2019125517.tif 000006
【図５】
2019125517.tif 000007
【図６】
2019125517.tif 000008
【図７】
2019125517.tif 000009
【図８】
2019125517.tif 000010
【図９】
2019125517.tif 000011
【図１０】
2019125517.tif 000012
【図１１】
2019125517.tif 000013
【図１２】
2019125517.tif 000014
【図１３】
2019125517.tif 000015
【図１４】
2019125517.tif 000016
【図１５】
2019125517.tif 000017
【図１６】
2019125517.tif 000018